(57)【特許請求の範囲】
【請求項１】
水路の底部に回転軸を有して起立または倒伏が自在な１枚の鋼板を起伏ゲートの扉体とし、
この扉体の背面側（反水圧側）に、Ｖ字形気密シートの上端部と上部気密シートの両端部を曲げ上げて重ね合わせて接着することにより構成したＶ字形空気袋の一方の上端部と保護布の上端部とをともに取り付け、またこのＶ字形空気袋の他の上端部と保護布の下端部とを一緒に基礎コンクリートの上面に固定し、この空気袋には空気を圧入したり、内部の空気を排出したりする空気管を基礎コンクリートを経由して接続して起伏ゲートの操作装置とし、
この保護布と空気袋とは常時接触する部分を接着して相互の位置関係を安定させると同時に、それらの幅方向の寸法は可能なかぎり大きくして扉体のほぼ全幅において支持できるようにし、他方、それらの高さ方向の寸法は起伏ゲートの天端を越流する水の流下を妨げない範囲で充分大きな寸法とし、
このように構成した空気袋に接続した空気管に開閉弁と流量調整弁を経由して空気圧縮機を接続し、空気圧縮機によって空気袋の内部に空気を圧入することにより起伏ゲートの扉体を起立させ、他方、空気袋に空気管を経由して接続した排気用開閉弁を開き、排気用流量調整弁を経由して空気袋の内部の圧力を有する空気を大気中に放出することにより起伏ゲートの扉体を倒伏させるようにしたことを特徴とする起伏ゲート。
【請求項２】
請求項１の起伏ゲートにおいて、保護布の高さ方向の寸法をほぼ等分割する位置において、保護布の裏面に取り付けた分割布の他端を回転軸に近い位置に設けた分割布固定材に固定することにより、扉体と保護布と基礎コンクリートとによって囲まれた空間を分割し、その分割された空間のおのおのに空気袋を納めると同時に、通気管によって空気袋相互の空気の流通を確保し、加えてこれらの空気袋に空気を圧入したり、内部の空気を排出したりする空気管を基礎コンクリートを経由して接続したことを特徴とする起伏ゲート。
【請求項３】
請求項１または２の起伏ゲートにおいて、扉体とする１枚の鋼板の起伏ゲートの扉体の高さ方向の曲げ強さを増大させるために、回転軸直角方向の補剛材を鋼板の水圧側に取り付けたことを特徴とする起伏ゲート。
【請求項４】
請求項１ないし３のいずれかの起伏ゲートにおいて、扉体を越流する水や水とともに流下する土砂、転石、流木、流氷などから保護布や空気袋を保護し、加えて扉体倒伏時に屈曲した保護布や縮小した空気袋の収納スペースを構成するように、扉体の頭部に回転軸に平行な母線を有する曲げ加工を行なったことを特徴とする起伏ゲート。
【請求項５】
請求項１ないし４のいずれかの起伏ゲートにおいて、扉体とする鋼板の下端に太い丸棒鋼（直径がゲート高さの１／１０〜１／２０程度）をゲート幅全体に取り付けて回転軸とし、この回転軸を基礎コンクリートの上端部に数箇所設けたほぼ半円形の凹部を有する軸受に納め、さらに浮上防止板によって回転軸を上から押えたことを特徴とする起伏ゲート。
【請求項６】
請求項１ないし５のいずれかの起伏ゲートにおいて、圧力媒体として空気の代わりに水または油圧作動油を使用したことを特徴とする起伏ゲート。
【請求項７】
請求項１ないし６のいずれかの起伏ゲートにおいて、ゲート幅の小さい（２〜３ｍ程度の）起伏ゲートを横に並べて設置することにより、幅の大きい（約１０ｍ〜２００ｍ）水路に応用したことを特徴とする起伏ゲート。
【請求項８】
請求項１ないし７のいずれかの起伏ゲートにおいて、保護布と空気袋の常時接触する部分を１枚の構成材として保護布と空気袋とを一体に製造したことを特徴とする起伏ゲート。
【発明の詳細な説明】
【０００１】
【発明の属する技術分野】
この発明は、水路の底部に設けた回転軸によって自在に起立または倒伏を行なうことにより、水路の流水を堰上げまたは放流する目的で使用される起伏ゲートに関するものである。
【０００２】
【従来の技術】
従来、起伏ゲートとしては、水圧力を受ける鋼板（止水板）に対し充分に強固な横桁や縦桁を配置した鋼製扉体の頭部にワイヤロープやチェーンを取り付けて、これを陸上の巻上機で巻き取りまたは巻き戻して起立または倒伏の操作をする形式のものや、同様の鋼製扉体を油圧ジャッキで押し上げて起立させ、油圧ジャッキを縮めて倒伏させる形式のものなどが種々開発され、使用されてきた。
【０００３】
また近年は、内部の空気圧や外力（水圧力や流下物から受ける衝撃力等）に耐えるよう、布で補強されたゴムの筒を水路床に固定して、この内部に空気を圧入すればゴムの筒が膨らんで流水を堰上げ、逆に内部の圧力を有する空気を開閉弁を開いて放出することにより、ゴムの筒が自重と水圧力とによって扁平に潰れて堰上げてあった水が流出する、いわゆるゴム堰が開発されて広く利用されている。
【０００４】
【発明が解決しようとする課題】
ところで、強固に横桁、縦桁によって補強された鋼製扉体の頭部に取り付けたワイヤロープやチェーンによって起伏操作を行なう形式のものは操作性が良好で、また中間的起立姿勢でも安定しているが、大型の起伏ゲートには不適当であるばかりでなく、建設費が高価となる。
【０００５】
また充分に強固な横桁、縦桁によって補強された鋼製扉体を油圧ジャッキで押し上げる形式のものは、操作性が良好で中間的起立姿勢でも安定している取扱いの容易な起伏ゲートであり、ゲート幅も３０〜４０ｍと相当に大きい寸法の採用が可能であるばかりでなく、土砂、転石、流木、流氷などによる損傷も受けることの少ない安全性の高い起伏ゲートである。しかし建設費が高くなる欠点がある。特に細長く重量の大きい鋼製扉体の製造と運搬、据え付けは建設費が高額となる主な原因である。加えて操作用の油は万一漏出した場合、水路を汚し、社会問題となる危険がある。
【０００６】
またゴム堰は鋼製扉体の起伏ゲートに比較して建設費が安価であることが大きな長所である。それでも大きい幅の水路に建設するときには、細長く重量の大きいゴムの筒を工場で製造し、現場に損傷なく運搬して据え付ける工事は、多くの技術的困難と、多額の費用を必要とすることになる。
【０００７】
またゴム堰は布で数層に補強されてはいても、水とともに流下する土砂、転石、流木、流氷によって損傷を受けやすく、常に監視を行ない、補修工事を行う必要があり、不経済である。
【０００８】
加えてゴム堰の柔軟な扉体は、中間的膨張状態では不安定で全幅において均一な中間的起立状態が維持できないという技術上の重大な欠点を有する。すなわち、中間的膨張状態では筒状の扉体は不安定となり、一部分の潰れが先行するとその箇所の潰れだけが進行して部分的に安全な潰れ姿勢になるので、堰上げた水はその箇所から流出し、ゲート上流の水面を維持できないのである。
【０００９】
この発明は以上のように多種多様なゲートが開発され、使用されているが、それぞれに長所と短所を有している現状に対し、技術上の問題点を解決し、同時に格段に安価に建設できる起伏ゲートを提供するものである。
【００１０】
【課題を解決するための手段】
すなわちこの発明の起伏ゲートは、従来使用されてきた鋼製扉体による起伏ゲートの外力（水圧力や流下物から受ける衝撃力等）に対して強く、耐摩耗性があり、中間的起立姿勢でも安定しているという長所を生かしながら、空気袋によりゲート幅方向に連続して外力の支持をするというゴム堰と同等の経済性を導入することに成功した非常に安価で、取扱いが容易な起伏ゲートである。
【００１１】
以下に具体的に説明する。すなわち、保護布により押え込んだ空気袋の採用である。
【００１２】
起伏ゲートは完全起立時、扉体の基準線が水平となす角は７０°〜９０°に設計され、回転軸によって回転自由に水路床に取り付けられており、扉体の基準線がほぼ水平となったときを倒伏姿勢とする。
【００１３】
このように水路床に水平な回転軸を有する起伏ゲートの扉体をゲートの背面側（反水圧側）で支持する空気圧などの流体の圧力を利用した操作装置の理想形の１案としてゲートの幅方向に連続しており、回転軸に直交する断面においては、扉体を支持する位置とその広さが一定のものが考えられる。
【００１４】
このような操作装置が利用できれば、鋼製扉体に作用する外力（水圧力や流下物から受ける衝撃力等）は広い面積に分散して支持されるから（大きな荷重が１箇所に集中しないから）鋼板をあまり補強せず（横桁や縦桁などをあまり取り付けることなく）に使用できるので非常に経済的である。
【００１５】
またこのような操作装置を利用すれば、鋼製扉体が操作装置から受ける力は、［流体の圧力（空気圧など）］×［扉体と操作装置の接触する面積］
で容易に計算できるから、扉体に作用する外力（水圧力や流下物から受ける衝撃力等）に対抗するために必要な流体の圧力（空気圧など）も容易に計算できて操作装置の設計、製作が非常に容易になる。
【００１６】
そして以上のような目的に合致するものの１例として半開の扇のような断面を有する空気袋を構想することができる。すなわち、扉体の回転軸を扇の要と見た時、半開の扇の紙の部分のような断面を有する空気袋を利用する手段を求めるのである。
【００１７】
このような技術上の必要性に対応する手段として、この発明の起伏ゲートでは空気袋を保護布によって押え込むことにした。すなわち、扉体の背面と、基礎コンクリートの上面と、両者の回転軸からほぼ同距離の位置に両端を取り付けて張り渡した保護布の３者によって囲まれた空間に空気袋を納め、保護布によって空気袋の変形に制限を加えつつ、空気袋が扉体背面に接触して扉体を支持するよう構成するのである。
【００１８】
扉体が完全に起立した姿勢では空気袋の形状は理想形に近いものとなる。すなわち、完全に起立した姿勢において、扉体に作用する力の回転軸回りのモメントは、
ａ）空気袋が扉体を押し起こす力のモメント
ｂ）扉体自重によるモメント
ｃ）扉体に作用する水圧力など外力のモメント
ｄ）保護布に作用する張力によるモメント
の４要素であり、これが釣り合って扉体は静止する。
【００１９】
ａ）がｂ）＋ｃ）より余分な量をｄ）で釣り合わせるのであり、ｄ）が大きいほど保護布は平面に近付き、ｄ）が小さくなると保護布は半径の大きい円筒形に近似した形状となり、理想形に近いものとなる。
【００２０】
この場合でも、空気袋の回転軸に近い部分の形状は理想形とは異なるものとなるが、扉体を押し起こす性能は、回転軸に遠い部分の形状に強く支配されるから良好な操作装置として機能する。
【００２１】
さて、扉体が半開または倒伏の姿勢の場合、保護布は小さい半径で屈曲し、空気袋の形状は理想形とはならない。しかし、空気袋は内部の空気圧によって保護布の裏面に密着するから、空気袋が扉体背面に接触して扉体を支持する面は、完全起立時の接触面を温存しつつ増大する。
【００２２】
したがって、空気袋が扉体を支持するのに必要な空気圧の強さを計算する時の接触面の形状は、完全起立時のものとすれば安全側（サイド）にあり、操作装置の設計は非常に簡単である。
【００２３】
【発明の実施の形態】
以下、この発明の起伏ゲートの実施の形態を、図面に基いて詳細に説明する。
【００２４】
図１と図２はこの発明の起伏ゲートの１実施例を示すものであり、図１は起伏ゲートの断面図で起立状態を示し、図２は起伏ゲートの断面図で倒伏状態を示すものである。
【００２５】
図１および図２において、頭部の起立時にほぼ水平となる部分を含む曲げ加工部１を有する鋼板製の扉体２の下端の矩形断面の下横桁３に数箇所（２〜４箇所程度）取り付けた軸受４は回転軸５によって軸支持台６に回転自由に結合されている。また軸支持台６はボルト７によって組立桁８に取り付けられ、組立桁８はアンカー９によって水路の底の基礎コンクリート１０に固定されている。したがって扉体２は水路の底部に位置する回転軸５によって安定して支持され、かつ自在に起立または倒伏が可能である。
【００２６】
この扉体２の背面側（反水圧側）の上部に、Ｖ字形気密シート１１の上端部１２，１３と上部気密シート１４の曲げ上げた両端部１５，１６とを重ね合わせて、すなわち上端部１２と両端部１５とを重ね合わせ、また上端部１３と両端部１６とを重ね合わせて、接着することにより構成したＶ字形空気袋（１１，１４）の上端部１２と両端部１５とを一緒に保護布１７の上定着部１８を押え板１９とボルト２０によって取り付け、また基礎コンクリート１０に設けた定着材２１に上端部１３と両端部１６と一緒に保護布１７の下定着部２２を押え板２３とボルト２４によって取り付ける。
【００２７】
このようにして扉体２と保護布１７と基礎コンクリート１０の上面２５に囲まれた空間にＶ字形気密シート１１と上部気密シート１４とによって構成されるＶ字形空気袋（１１，１４）が納まり、その下部に空気管２６が接続されている。
【００２８】
空気管２６は基礎コンクリート１０に埋設するなどして陸上に導かれ、排気用開閉弁２７、排気用流量調節弁２８、排気放出部２９、給気用開閉弁３０、給気用流量調節弁３１、空気圧縮機３２に、図１および図２のように接続する。
【００２９】
このように構成した上で、空気圧縮機３２から給気用流量調節弁３１、給気用開閉弁３０、空気管２６を経由して空気袋（１１，１４）の内部に空気を圧入した結果、扉体２が起立した状態の断面図が図１である。
【００３０】
図１において保護布１７は、内部の空気圧によって回転軸５から離れる方向に移動しようとする空気袋（１１，１４）を押え付けると同時に扉体２の起立姿勢を規制するよう機能し、加えて内部に囲み込んだ空気袋（１１，１４）を風雨、日光、起伏ゲートの上を流下する水流や流木、流氷、土砂等から保護する役目を引き受けているので、充分なる引張り強さ、耐候性、耐摩耗性、低温における柔軟性を有する素材を使用して製作する。
【００３１】
空気袋（１１，１４）は内部の空気圧によって保護布１７に押し付けられた状態となるから、扉体２および基礎コンクリート１０の上面２５との接触部が、保護布１７の上定着部１８および下定着部２２に近い部分に片寄る結果となり、空気袋（１１，１４）が扉体２を押し起こすためには好都合である。特にＶ字形気密シート１１は、扉体２の背面に密着したまま固定されるので、扉体２の背面とＶ字形気密シート１１の接触面の上端が確定される。
【００３２】
また扉体２の頭部の起立時ほぼ水平となる面を含む曲げ加工部１は、起伏ゲートを越流する水が保護布１７を直接打たないように機能する。このとき、頭部の曲げ加工部１に起立時ほぼ水平となる面を含むことにより、同一扉体高の場合、Ｖ字形空気袋（１１，１４）や保護布１７の扉体２への取付位置を上に寄せることが可能となる。すなわち、扉体２が完全に倒伏した状態において、屈曲したＶ字形空気袋（１１，１４）や保護布１７を格納し保護する扉体２、曲げ加工部１、基礎コンクリート１０の上面２５の機能を確保しつつ、Ｖ字形空気袋（１１，１４）や保護布１７の扉体２への取付位置を上に寄せることが可能となる。このことは必要な空気圧の低下を得るので経済的効果がある。さらに下部水密ゴム３３が押え板３４とボルト３５によって扉体２の下部に取り付けられ、同時に押え板３６とボルト３７によって組立桁８に取り付けられて、水の漏出を防止している。
【００３３】
また空気圧縮機３２を停止し、給気用開閉弁３０を閉じ、排気用開閉弁２７を開いて、空気袋（１１，１４）の内部の圧力を有する空気を、排気用流量調節弁２８によって制御しつつ、排気放出部２９より大気中へ放出した結果、扉体２が完全に倒伏した状態の断面図が図２である。
【００３４】
扉体２の頭部の起立時にほぼ水平となる面を含む曲げ加工部１は、基礎コンクリート１０に固定された支持材３８によって支持されており、屈曲した保護布１７と縮小した空気袋（１１，１４）は扉体２、頭部の曲げ加工部１、基礎コンクリート１０の上面２５によって格納され、保護されている。
【００３５】
図３と図４はこの発明の起伏ゲートのもう一つの実施例を示すもので、図３は起伏ゲートの断面図で起立状態を示し、図４は起伏ゲートの断面図で倒伏状態を示すものである。
【００３６】
図３および図４において、頭部の起立時にほぼ水平となる面を含む曲げ加工部１を有する鋼板製の扉体２の下端のＺ字形断面の下横桁４０に数箇所（２〜４箇所程度）取り付けた軸受４は、回転軸５によって軸支持台６に回転自由に結合されている。また軸支持台６はボルト７によって組立桁８に取り付けられ、組立桁８はアンカー９によって水路の底の基礎コンクリート１０に固定されている。したがって扉体２は水路の底部に位置する回転軸５によって安定して支持され、かつ自在に起立または倒伏が可能である。
【００３７】
この扉体２の背面側（反水圧側）の上部に、保護布１７の上定着部１８を押え板１９とボルト２０によって取り付け、また基礎コンクリート１０に設けた定着材２１に保護布１７の下定着部２２を押え板２３とボルト２４によって取り付ける。
【００３８】
同時に扉体２と保護布１７と基礎コンクリート１０の上面２５によって囲まれた空間を横方向にほぼ２等分割する位置を選んで保護布１７の裏面に分割布４１を取り付け、その反対側をＺ字形の下横桁４０のフランジ４２に押え板４３とボルト４４で取り付ける。
【００３９】
このようにして、ほぼ２等分割された扉体２と保護布１７と基礎コンクリート１０の上面２５によって囲まれた空間のおのおのに納まる空気袋４５，４６は、保護布１７の裏面にその一部を接着されると同時に通気管４７によって相互の空気の流通を確保し、さらに空気袋４６の下部において空気管２６が接続されている。
【００４０】
空気管２６は基礎コンクリート１０に埋設するなどして陸上に導かれ、排気用開閉弁２７、排気用流量調節弁２８、排気放出部２９、給気用開閉弁３０、給気用流量調節弁３１、空気圧縮機３２に、図３および図４のように接続する。
【００４１】
このように構成した上で、空気圧縮機３２から給気用流量調節弁３１、給気用開閉弁３０、空気管２６を経由して空気袋４６の内部に、さらに通気管４７を経由して空気袋４６から空気袋４５の内部に空気を圧入した結果、扉体２が起立した状態の断面図が図３である。
【００４２】
図３において保護布１７と分割布４１は、内部の空気圧によって回転軸５から離れる方向に移動しようとする空気袋４５，４６を押え付けよう機能する。また保護布１７は扉体２の起立姿勢を規制するよう機能し、加えて内部に囲み込んだ空気袋４５，４６を風雨、日光、起伏ゲートの上を流下する水流や流木、流氷、土砂等から保護する役目を引き受けているので、充分なる引張り強さ、耐候性、耐摩耗性、低温における柔軟性を有する素材を使用して製作する。なお、分割布４１も保護布１７と同一の素材で製作する。
【００４３】
空気袋４５，４６は内部の空気圧によって保護布１７に押し付けられた状態となるから、扉体２と空気袋４５の接触部が保護布１７の上定着部１８に片寄る結果となり、同様に基礎コンクリート１０の上面２５と空気袋４６の接触部が保護布１７の下定着部２２に片寄る結果となって、空気袋４５，４６が起伏ゲートの扉体２を押し起こすためには好都合である。
【００４４】
また扉体２の頭部の起立時ほぼ水平となる面を含む曲げ加工部１は起伏ゲートを越流する水が保護布１７を直接打たないように機能する。さらに下部水密ゴム３３が押え板３４とボルト３５によって扉体２の下部に取り付けられ、同時に押え板３６とボルト３７によって組立桁８に取り付けられて、水の漏出を防止している。
【００４５】
また空気圧縮機３２を停止し、給気用開閉弁３０を閉じ、排気用開閉弁２７を開いて、空気袋４５，４６の内部の圧力を有する空気を、排気用流量調節弁２８によって制御しつつ、排気放出部２９より大気中へ放出した結果、扉体２が完全に倒伏した状態の断面図が図４である。
【００４６】
扉体２の頭部の起立時にほぼ水平となる面を含む曲げ加工部１は、基礎コンクリート１０に固定された支持材３８によって支持されており、屈曲した保護布１７と縮小した空気袋４５，４６、並びに分割布４１は扉体２、頭部の曲げ加工部１、基礎コンクリート１０によって格納され、保護されている。
【００４７】
この実施例において、保護布１７の屈曲は、分割布４１のために２重となり、小さな格納スペースに保護布１７を収容することができる。したがって扉体２と保護布１７の上定着部１８との取付部を扉体２の頭部の曲げ加工部１に近付けることが可能となり、大きな寸法の空気袋を使用する結果、
Ａ）扉体２に生じる曲げモメントが軽減する。
Ｂ）操作に必要な空気の圧力が小さくなる。
等の有利性がある。
【００４８】
図５と図６はこの発明の起伏ゲートのさらにもう一つの実施例を示すもので、図５は起伏ゲートの断面図で起立状態を示し、図６は起伏ゲートの断面図で倒伏状態を示す。
【００４９】
図５および図６において、頭部の起立時にほぼ水平となる面を含む曲げ加工部１を有する扉体２は、下端に直径が充分に大きい丸棒鋼を溶接取り付けして回転軸５０とし、さらに扉体２の水圧側には回転軸５０と直交する方向で扉体２の表面に直角に立てて溶接取り付けした補剛材５１を有し、扉体２のゲート高方向の強度を補っている。
【００５０】
回転軸５０は数箇所（２〜５箇所程度）に設けたほぼ半円形の凹部を有する軸受５２に支持される。軸受５２は組立桁５３に取り付けられ、組立桁５３はアンカー９によって基礎コンクリート１０に固定され、安定している。また回転軸５０が軸受５２から脱落するのを防止するための浮上防止板５４をボルト５５によって組立桁５３に強固に取り付けている。したがって扉体２は水路の底部に位置する回転軸５０によって安定し、かつ自在に起立または倒伏が可能である。
【００５１】
また浮上防止板５４の先端に下部水密ゴム５６を押え板５７とボルト５８によって取り付け、回転軸５０に密着させることにより水の漏出を防止する。
【００５２】
この扉体２の背面側（反水圧側）の上部に空気袋の一部を兼ねた保護布５９の上定着部６０を押え板１９とボルト２０によって取り付け、また基礎コンクリート１０に設けた定着材２１に空気袋の一部を兼ねた保護布５９の下定着部６１を押え板２３とボルト２４によって取り付ける。
【００５３】
空気袋の一部を兼ねた保護布５９の裏面の上定着部６０と下定着部６１の近くにおいて強固に接着取付した空気袋の回転軸側部分６２は、扉体２と基礎コンクリート１０の上面２５に接触するシートであり、下部に空気管２６が接続されている。このように保護布５９と回転軸側部分６２は一体となって空気袋を構成する。
【００５４】
また空気管２６は基礎コンクリート１０に埋設するなどして陸上に導かれ、排気用開閉弁２７、排気用流量調節弁２８、排気放出部２９、給気用開閉弁３０、給気用流量調節弁３１、空気圧縮機３２に、図５および図６のように接続する。
【００５５】
このように構成した上で、空気圧縮機３２から給気用流量調節弁３１、給気用開閉弁３０、空気管２６を経由して保護布５９と回転軸側部分６２とによる空気袋の内部に空気を圧入した結果、扉体２が起立した状態の断面図が図５である。
【００５６】
図５において保護布５９は、回転軸側部分６２とともに内部の空気圧によって回転軸５０から離れる方向に移動しようとするが、上定着部６０によって扉体２に取り付けられ、下定着部６１によって基礎コンクリート１０に設けた定着材２１に取り付けられているので、移動しない。また空気袋の回転軸側部分６２と扉体２の接触部分は保護布５９の上定着部６０に片寄り、同様に基礎コンクリート１０の上面２５と空気袋の回転軸側部分６２との接触部分は保護布５９の下定着部６１に片寄るので、起伏ゲートの扉体２を押し起こすためには好都合である。
【００５７】
保護布５９は、内部の空気圧による自身の移動を押えると同時に扉体２の起立姿勢を規制するよう機能し、加えて風雨、日光、起伏ゲートの上を流下する水流や流木、流氷、土砂等によって破損せず、空気袋の一部分も構成するものであるから、充分なる引張り強さ、耐候性、耐摩耗性、低温における柔軟性、並びに気密性を有する素材を使用して製作する。
【００５８】
空気袋の回転軸側部分６２は、充分なる引張り強さと気密性とを有する素材を使用して製作する。
【００５９】
また扉体２の頭部の曲げ加工部１は起伏ゲートを越流する水が保護布５９を直接打たないように機能する。
【００６０】
さらに、空気圧縮機３２を停止し、給気用開閉弁３０を閉じ、排気用開閉弁２７を開いて保護布５９と回転軸側部分６２によって構成する空気袋の内部の圧力を有する空気を排気用流量調節弁２８によって制御しつつ、排気放出部２９より大気中へ放出した結果、扉体２が完全に倒伏した状態の断面図が図６である。
【００６１】
扉体２の頭部の起立時にほぼ水平となる面を含む曲げ加工部１は、基礎コンクリート１０に固定された支持材３８によって支持されており、屈曲した保護布５９と縮小した回転軸側部分６２は、扉体２と頭部の曲げ加工部１、基礎コンクリート１０とによって格納され、保護されている。
【００６２】
この実施例においては、起伏ゲートの高さが大きくなり、使用する空気の圧力も大きくなった結果、空気袋を製作する素材の強度が高いものを要求され、保護布と空気袋とを別々に製作し、その一部を接着するよりは一体に製作する方が安価で取扱いも容易であるため、この構造を採用したものである。
【００６３】
【発明の効果】
この発明の起伏ゲートによれば、流下する土砂、転石、流木、流氷などに対し鋼板製の扉体と同一の強度、耐久性を有し、構造が簡単で製作、運搬、据付全般において安価であり、加えて点検、維持、修繕が容易であり、さらに環境を汚染する心配のない新規な起伏ゲートを提供することができるようになった。すなわち、
（１）空気袋を押え込む保護布の採用
扉体の背面と基礎コンクリートの上面と両者の回転軸からほぼ同一距離の位置に端部を取り付けて張り渡した保護布の３者によって囲まれた空間に空気袋を納め、内部の空気圧によって回転軸から離れる方向に移動しようとする空気袋を保護布によって押え込む構造を採用した結果、以下に列記する効果があった。
【００６４】
（ａ）空気袋は内部の空気圧によって回転軸から遠くへ移動しようとするから、空気袋は保護布の裏面と扉体の背面と基礎コンクリートの上面の保護布の取付部に近い位置に片寄って密着することになる。
【００６５】
したがって、空気袋が扉体背面に接触して内部の空気圧を伝達する部分の面積の回転軸回りの一次モーメントが大きくなり、鋼板製の扉体を起立させ、支持するのに必要な空気の圧力を小さくすることができて有利である。すなわち、空気袋が扉体背面に接触して内部の空気圧を伝達する部分の面積は扉体の幅の約８０％、高さの約２０％と広い部分に分布するから、必要な空気圧はごく小さいものとなる。
【００６６】
例えば、水深２ｍの圧力は０．２ｋｇｆ／ｃｍ2であるから、水深２ｍの起伏ゲートを操作するのに必要な空気圧は概略の検討によれば、０．４ｋｇｆ／ｃｍ2程度あれば充分である。したがって空気圧縮機の必要馬力が小さく、配管並びに制御の機材も安価なものとなる。
【００６７】
（ｂ）上記（ａ）に説明した理由により鋼板製の扉体が可能となる。すなわち、荷重として水圧力や流下物の衝撃、また扉体自身の重量を受ける鋼板製の扉体は広い面積で接触する空気袋によって支持されるので、応力の集中が少なく、横桁や縦桁による補強をあまり必要としないので、重量が軽く、加工量の少ない安価な鋼板製の扉体の利用が可能となる。
【００６８】
（ｃ）起立した起伏ゲートの背面の保護布の外観形状は、おおむね扉体の回転軸を中心とする円筒面となり、美しい。
（２）鋼板製の扉体が空気袋を保護する効果
起伏ゲートが貯える水の圧力を直接受け、また流下する土砂、転石、流木、流氷の衝撃を直接受けるのも鋼板製の扉体であり、充分な剛性、強度、耐摩耗性等を有するので空気袋を保護する効果があり、起伏ゲートの安全性、信頼性を高めるばかりでなく、空気袋に余分な補強を必要としないので安価な空気袋を利用できて有利である。
（３）幅の小さい起伏ゲートを横並べする効果
この発明の起伏ゲートにおいては、起伏ゲートの構成要素を直接水圧力や流下物の衝撃を受ける鋼板製の扉体と保護布によって囲い込まれた空気袋による操作装置とに２分してあり、各々をゲートの幅方向に延長、また短縮することの自由な構造であるから、ゲート幅の小さい（２〜３ｍ程度の）起伏ゲートを単位起伏ゲートとして製造し、横に並べることが容易であるから幅の大きい（１０〜２００ｍ等の）水路に起伏ゲートを建設することが容易になった。
【００６９】
この結果以下に列記する効果がある。
【００７０】
（ａ）起伏ゲートの規格化が可能となった。すなわち、ゲート高の変化に対応して数種類の高さの保護布と空気袋の組合せを設計し、これらの各々に適当な鋼板製の扉体の高さの範囲を求めておくことにより、設置場所の幅や高さに応じてその都度行なっている設計計算の作業を省略できて工期が短縮され、また費用も少なくなる。
【００７１】
（ｂ）規格化すると、保護布と空気袋の組合せも、鋼板製の扉体や軸受等も同一仕様、同一寸法のものを工場で多量に生産しておいて必要の都度利用することになるので、製作費が大幅に軽減される。
【００７２】
（ｃ）ゲート幅の小さい起伏ゲートを横に並べて設置する場合は、全部を一体に作って設置する場合と比較して製作も運搬も据え付けも非常に容易であり、費用も少なくてすむ。また山間部などで広い道路がなくても搬入できるし、ヘリコプタによる運搬、据え付けも可能となるので、応用の可能性を非常に広くすることができる。
【００７３】
（ｄ）起伏ゲートを構成する部品が規格化され、小型化や軽量化が可能になったので、修繕等の必要な場合、部品取り替えを行なうことにより、安価かつ確実でその上短い工期の工事が可能となった。
（４）操作に使用する空気は自由にかつ無料で利用できるから、費用の軽減に効果があるばかりでなく、漏れたり、放出したりしても環境を汚染する心配がない。
【図面の簡単な説明】
【図１】この発明の起伏ゲートの一実施例を示し、起伏ゲートが起立した状態の概略断面図である。
【図２】起伏ゲートが倒伏した状態の概略断面図である。
【図３】この発明の起伏ゲートの他の実施例を示し、起伏ゲートが起立した状態の概略断面図である。
【図４】起伏ゲートが倒伏した状態の概略断面図である。
【図５】この発明の起伏ゲートの別の実施例を示し、起伏ゲートが起立した状態の概略断面図である。
【図６】起伏ゲートが倒伏した状態の概略断面図である。
【符号の説明】
１  頭部の曲げ加工部
２  扉体
３  矩形断面の下横桁
４  軸受
５  回転軸
６  軸支持台
７  ボルト
８  組立桁
９  アンカー
１０  基礎コンクリート
１１  Ｖ字形気密シート
１２，１３  上端部
１４  上部気密シート
１５，１６  両端部
１７  保護布
１８  上定着部
１９  押え板
２０  ボルト
２１  定着材
２２  下定着部
２３  押え板
２４  ボルト
２５  上面
２６  空気管
２７  排気用開閉弁
２８  排気用流量調整弁
２９  排気放出部
３０  給気用開閉弁
３１  給気用流量調整弁
３２  空気圧縮機
３３  下部水密ゴム
３４  押え板
３５  ボルト
３６  押え板
３７  ボルト
３８  支持材
４０  下横桁
４１  分割布
４２  フランジ
４３  押え板
４４  ボルト
４５，４６  空気袋
４７  通気管
５０  回転軸
５１  補剛材
５２  軸受
５３  組立桁
５４  浮上防止板
５５  ボルト
５６  下部水密ゴム
５７  押え板
５８  ボルト
５９  保護布
６０  上定着部
６１  下定着部
６２  回転軸側部分
【図１】
0003760332.tif 000002
【図２】
0003760332.tif 000003
【図３】
0003760332.tif 000004
【図４】
0003760332.tif 000005
【図５】
0003760332.tif 000006
【図６】
0003760332.tif 000007